(57)【要約】【課題】周波数帯域を有効活用可能な無線通信システムを提供することにある。【解決手段】異なる周波数における通信を束ねて一つの通信として行う無線通信システムは、送信部と、受信部と、異なる周波数の各々の帯域における通信状況を把握する帯域使用有無判定手段、とを備える。前記帯域使用有無判定手段は、前記異なる周波数の各々の帯域における通信状況を把握する。前記送信部は、前記帯域使用有無判定手段による未使用の帯域の各々に所定データを挿入し、挿入した帯域における無線送信を行う。前記受信部は、前記帯域使用有無判定手段による使用されている帯域を受信し、所定データに復号する無線受信を行う。【選択図】図４
2019050532.tif 000002
【特許請求の範囲】
【請求項１】
異なる周波数における通信を束ねて一つの通信として行う無線通信システムにおいて、
送信部と、受信部と、異なる周波数の各々の帯域における通信状況を把握する帯域使用有無判定手段、とを備え、
前記帯域使用有無判定手段は、前記異なる周波数の各々の帯域における通信状況を把握し、
前記送信部は、前記帯域使用有無判定手段による未使用の帯域の各々に所定データを挿入し、挿入した帯域における無線送信を行い、
前記受信部は、前記帯域使用有無判定手段による使用されている帯域を受信し、所定データに復号する無線受信を行う、無線通信システム。
【請求項２】
第１周波数の第１信号を出力する第１信号源と、
前記第１周波数と異なる第２周波数の第２信号を出力する第２信号源と、
前記第１信号を電力増幅する第１電力増幅回路と、
前記第２信号を電力増幅する第２電力増幅回路と、
前記第１電力増幅回路の出力と前記第２電力増幅回路の出力とを合成する合成器と、
前記合成器の出力に結合された１つのアンテナと、
を有する、送信機。
【請求項３】
請求項２の送信機において、
前記第１電力増幅回路の出力と前記合成器との間に設けられた第１フィルタと、
前記第２電力増幅回路の出力と前記合成器との間に設けられた第２フィルタと、を有する、送信機。
【請求項４】
請求項２の送信機において、
前記第１信号の位相調整を行うことが可能な第１位相調整回路と、
前記第２信号の位相調整を行うことが可能な第２位相調整回路と、
前記合成器と前記アンテナとの間に設けられたカプラと、
前記カプラからの信号を受ける電力検出器と、を具備し、
前記電力検出器は、前記第１位相調整回路と前記第２位相調整回路とを制御する、送信機。
【請求項５】
請求項２ないし請求項４のいずれか一項の送信機と、
前記送信機からの信号を受信する受信機と、を有する、無線通信システム。
【発明の詳細な説明】
【技術分野】
【０００１】
本発明は無線通信システムに関し、異なる周波数の高周波信号を用いて送信および受信を行う、送信機と受信機とを備える無線通信システムに適用可能である。
【背景技術】
【０００２】
無線通信システムとして、ＨＦ（短波：High Frequency）回線を利用して無線通信を行う方式がある。ＨＦ（短波：High Frequency）回線の周波数帯域は、例えば、３ＭＨｚ−３０ＭＨｚである。
【０００３】
図１は、発明者により検討された無線通信システムを説明するための図である。図１において、無線機１−５が設けられ、無線機１−５の各々は１つのアンテナ（ＡＮ１ａ、ＡＮ２ａ、ＡＮ３ａ、ＡＮ４ａ、Ａｎ５ａ）を有している。Ｘ  ＭＨｚからＹ  ＭＨｚの間の周波数帯域において、無線機１は周波数帯域１aを利用し、無線機２は周波数帯域２aを利用し、無線機３は周波数帯域３aを利用し、無線機４は周波数帯域４aを利用し、無線機５は周波数帯域５aを利用し、無線通信を行うことが出来る。
【０００４】
図１の構成において、例えば、無線機３が周波数帯域３aを使用して無線通信を行っている場合、無線機３は周波数帯域３aのみしか利用できない。すなわち、無線機１、２、４、５が周波数帯域１a、２a、４a、５aを使用しておらず、周波数帯域（１a、２a、４a、５a）が未使用帯域となっていても、各無線機（１−５）の制御は個別に行われるので、無線機３は未使用帯域（１a、２a、４a、５a）の存在を把握できない。そのため、無線機３は周波数帯域３aのみしか利用できない。
【０００５】
したがって、図１に示される無線通信システムにおいては、周波数帯域の使用効率としては、非効率的な通信となっている。
【０００６】
通信帯域を有効利用する技術として、例えば、マルチキャリア方式が提案されている（特許文献１−４を参照）。
【先行技術文献】
【特許文献】
【０００７】
【特許文献１】特開２０１３−１７６０９９号公報
【特許文献２】特開２０１２−２１３１８６号公報
【特許文献３】特開２０１０−２１３３３３号公報
【特許文献４】特開２００３−２３４７１７号公報
【発明の概要】
【発明が解決しようとする課題】
【０００８】
本開示の課題は、周波数帯域を有効活用可能な無線通信システムを提供することにある。
その他の課題と新規な特徴は、本明細書の記述および添付図面から明らかになるであろう。
【課題を解決するための手段】
【０００９】
本開示のうち代表的なものの概要を簡単に説明すれば下記の通りである。
すなわち、異なる周波数における通信を束ねて一つの通信として行う無線通信システムは、送信部と、受信部と、異なる周波数の各々の帯域における通信状況を把握する帯域使用有無判定手段、とを備える。前記帯域使用有無判定手段は、前記異なる周波数の各々の帯域における通信状況を把握する。前記送信部は、前記帯域使用有無判定手段による未使用の帯域の各々に所定データを挿入し、挿入した帯域における無線送信を行う。前記受信部は、前記帯域使用有無判定手段による使用されている帯域を受信し、所定データに復号する無線受信を行う。
【発明の効果】
【００１０】
上記送信機によれば、周波数帯域を有効活用可能である。
【図面の簡単な説明】
【００１１】
【図１】発明者により検討された無線通信システムを説明するための図である。
【図２】実施例１に係る無線通信システムを説明するための図である。
【図３】図２の無線機の通信状態の例を示す図である。
【図４】図２の無線機の通信状態の他の例を示す図である。
【図５】無線機の変形例を示す図である。
【図６】実施例２に係る送信機の構成例を説明する図である。
【図７】比較例に係る送信機の構成例を説明する図である。
【図８】変形例１に係る送信機を説明するための図である。
【図９】変形例２に係る送信機を説明するための図である。
【図１０】合成電力と相対位相差との関係を示す図である。
【図１１】変形例３に係る送信機を説明するための図である。
【図１２】変形例４に係る送信機を説明するための図である。
【図１３】応用例に係る無線通信システムを示す図である。
【発明を実施するための形態】
【００１２】
以下、実施例、および、比較例について、図面を用いて説明する。ただし、以下の説明において、同一構成要素には同一符号を付し繰り返しの説明を省略することがある。なお、図面は説明をより明確にするため、実際の態様に比べ、模式的に表される場合があるが、あくまで一例であって、本発明の解釈を限定するものではない。
【実施例１】
【００１３】
図２は、実施例１に係る無線通信システムを説明するための図である。
【００１４】
図２に示される無線通信システムに用いられる無線機１０は、例えば、図示されない他の無線機ないし基地局との間でマルチスライス通信による無線通信システムを構成する。
【００１５】
無線機１０は複数のアンテナＡＮ１、ＡＮ２、ＡＮ３、ＡＮ４、ＡＮ５を具備し、複数のアンテナＡＮ１、ＡＮ２、ＡＮ３、ＡＮ４、ＡＮ５を利用した電波による無線通信を他の無線機ないし基地局との間で行う。無線機１０は、例えば、ＨＦ（短波：High Frequency）回線を利用可能であり、その周波数帯域は、例えば、３ＭＨｚ−３０ＭＨｚである。
【００１６】
無線機１０は、また、送信部１０１と、受信部１０２と、を具備し、他の無線機ないし基地局の送信機（送信部）および受信機（受信部）との間で、無線信号による送信および受信を行う。無線機１０は、また、帯域使用有無判定手段１０３を有する。帯域使用有無判定手段１０３は、例えば、ベースバンド回路により構成することが可能である。
【００１７】
図２において、無線機１０は、Ｘ  ＭＨｚからＹ  ＭＨｚの間の周波数帯域において、アンテナＡＮ１を利用した使用帯域１１、アンテナＡＮ２を利用した使用帯域１２、アンテナＡＮ３を利用した使用帯域１３、アンテナＡＮ４を利用した使用帯域１４、および、アンテナＡＮ５を利用した使用帯域１５、を用いて送受信が可能である。複数の使用帯域１１、１２、１３、１４、１５は、それぞれ異なる周波数帯域であり、かつ、おのおのの周波数帯域に重なりはない。
【００１８】
図３は、図２の無線機１０の通信状態の例を示す図である。図４は、図２の無線機１０の通信状態の他の例を示す図である。無線機１０は、図３の通信状態から、図４の通信状態へ遷移することが可能である。図３に示されるように、無線機１０は、例えば、周波数帯域１２を通信Ａで使用中であり、周波数帯域１５を通信Ｂで使用中であり、他の周波数帯域１１、１３、１５は未使用であるものとする。この状況において、新たに通信Ｃを行う必要性が発生すると、図４に示されるように、無線機１０は、図３で未使用であった周波数帯域１１、１３、１５を帯域使用有無判定手段１０３により把握できるので、未使用の周波数帯域１１、１３、１５に通信Ｃを割り当てることが可能である。すなわち、無線機１０は、周波数帯域１１、１３、１５を束ねて使用して、通信Ｃを行うことが出来る。なお、通信Ｃを割り当てる周波数帯域は、複数の周波数帯域に限定されるわけではなく、１つの周波数帯域であってもよい。
【００１９】
すなわち、図２に示される無線機１０は、異なる周波数帯域における通信を束ねて一つの通信として行うことが可能である。無線機１０は、異なる周波数帯域１１、１２、１３、１４、１５の各々の帯域における通信状況を把握する帯域使用有無判定手段１０３を備えている。無線機１０の送信部１０１は、帯域使用有無判定手段１０３による未使用の周波数帯域（１１、１３、１５：図３参照）の各々に所定データを挿入し、挿入した各帯域（１１、１３、１５：図４参照）における無線送信を行なう。また、無線機１０の受信部１０２は、帯域使用有無判定手段１０３による使用されている帯域（１１、１２、１３、１４、１５：図４参照）を受信し、所定データに復号する無線受信を行う。無線機１０の送信部１０１は、各帯域の各々に挿入する所定データを束ね（符号化し）て、各帯域に分散して帯域毎のデータとして送信する。無線機１０の受信部１０２は、各帯域を受信し、分散された所定データを各帯域より取出（復号化）し、帯域毎の所定データとする。
【００２０】
（変形例）
図５は、無線機の変形例を示す図である。
【００２１】
図４に示される無線機１０では、複数のアンテナ（ＡＮ１、ＡＮ２、ＡＮ３、ＡＮ４、ＡＮ５）を利用して複数の周波数帯域（１１、１２、１３、１４、１５）を用いた無線通信の構成を説明した。図５に示される無線機１０Ｂは、無線通信において、複数の周波数帯域（１１、１２、１３、１４、１５）を、１つのアンテナＡＮ１Ｂを利用して行う構成である。他の構成は、図２と同じであり、説明は省略する。
【００２２】
図５に示される無線機１０Ｂも、図４で示された通信（複数の周波数帯域（１１、１３、１５）を使用して１つの通信（通信Ｃ）を行う）が可能である。なお、通信Ｃを割り当てる周波数帯域は、複数の周波数帯域に限定されるわけではなく、１つの周波数帯域であってもよい。
【００２３】
図２、図５の無線機（１０、１０Ｂ）によれば、未使用の１または複数の周波数帯域（１１、１３、１５）を、１つの通信（通信Ｃ）に割り当て、１または複数の周波数帯域（１１、１３、１５）を使用して１つの通信（通信Ｃ）を行うことが出来る。これにより、周波数の有効利用が可能になり、また、周波数帯域の効率的な使用が可能になる。図２、図５の無線機（１０、１０Ｂ）は、また、複数の周波数帯域（１１、１３、１５）を束ねて使用して１つの通信（通信Ｃ）を行うこともできるので、高速通信も可能である。
【実施例２】
【００２４】
図６は、実施例２に係る送信機の構成例を説明する図である。図６に示される送信機１００は、図５に示される無線機（１０Ｂ）の送信部１０１と見做すことも可能である。
【００２５】
図６に示されるように、送信機１００は、第１信号源Ｓ１と第２信号源Ｓ２とを有する。第１信号源Ｓ１と第２信号源Ｓ２とは、周波数の異なる２つ高周波送信信号を生成する。すなわち、第１信号源Ｓ１は、第１周波数の第１高周波信号を出力する。第２信号源Ｓ２は第１周波数と異なる第２周波数の第２高周波信号を出力する。
【００２６】
第１信号源Ｓ１から発生された第１高周波信号は、第１電力増幅回路ＰＡ１で電力増幅され、第１フィルタＦ１を介して、合成器ＣＯＭＢへ供給される。一方、第２信号源Ｓ２から発生された第２高周波信号は、第２電力増幅回路ＰＡ２で電力増幅され、第２フィルタＦ２を介して、合成器ＣＯＭＢへ供給される。合成器ＣＯＭＢは、第１フィルタＦ１の出力と第２フィルタＦ２の出力とを合成結合し、１つのアンテナＡＮＴへ供給する。これにより、１つのアンテナＡＮＴから、周波数の異なる２つ高周波送信信号が電波として送信される。
【００２７】
合成器ＣＯＭＢは、例えば、周波数を柔軟に変更可能なウィルキンソン合成分配器を採用することが出来る。
【００２８】
これにより、２種の信号源（Ｓ１、Ｓ２）からの周波数の違う高周波信号を、アンテナＡＮＴの最終段で、合成器ＣＯＭＢによって合成結合し、アンテナＡＮＴから２波の高周波信号を出力可能な送信機（または、送信部を含む無線機）を構成することが可能である。したがって、周波数の有効利用が可能である。
【００２９】
（比較例）
図７は、比較例に係る送信機を説明するための図である。図７に示される送信機では、１つの信号源Ｓａの出力を同位相で分配させる分配器ＤＩＶａと、分配器ＤＩＶａからの２つの出力を電力増幅する２つの電力増幅回路ＰＡａ、ＰＡｂと、電力増幅回路ＰＡａ、ＰＡｂの２つの出力を合成する合成器ＣＯＭｂと、合成器ＣＯＭｂの出力を受けるフィルタＦａと、フィルタＦａの出力が供給されるアンテナＡＮＴａとから構成される。
【００３０】
比較例では、信号源（Ｓａ）を、同位相で分配し、電力増幅回路（ＰＡａ、ＰＡｂ）で信号源を増幅したのちに、同位相で合成させることで、位相差なく電力合成させる方式である。この方式では、合成器ＣＯＭＢａの後段に、フィルタＦａを配置し、高調波等のスプリアスを低減する回路構成となっている。また、信号源（Ｓａ）を同位相で分配させる分配器（ＤＩＶａ）の実装が必要となる。
【００３１】
（実施例２の変形例）
以下、図８−１２を用いて、変形例を説明する。
【００３２】
（変形例１）
図８は、変形例１に係る送信機を説明するための図である。図８の送信機１００ａが、図６の送信機１００と異なる部分は、第１信号源Ｓ１および第２信号源Ｓ２と、第１電力増幅回路ＰＡ１および第２電力増幅回路ＰＡ２との間に、スイッチマトリックス回路ＳＷＭが設けられている点である。他の構成は、図６と同じであるので、説明は省略する。
【００３３】
スイッチマトリックス回路ＳＷＭは、第１ないし第３スイッチＳＷ１、ＳＷ２、ＳＷ３と、分配器ＤＩＶと、を有する。
【００３４】
第１スイッチＳＷ１は、第１信号源Ｓ１の出力からの入力を、第１出力（１）または第２出力（２）へ供給する。第１スイッチＳＷ１の第１出力（１）は第３スイッチＳＷ３の第１入力（１）に結合され、第１スイッチＳＷ１の第２出力（２）は分配器ＤＩＶの入力に結合される。
【００３５】
第２スイッチＳＷ２の第１入力（１）は第２信号源Ｓ２の出力に結合され、第２スイッチＳＷ２の第２入力（２）は分配器ＤＩＶの一方の出力に結合され、第２スイッチＳＷ２の出力は第２電力増幅回路ＰＡ２の入力に結合される。
【００３６】
第３スイッチＳＷ３の第２入力（２）は分配器ＤＩＶの他方の出力に結合され、第３スイッチＳＷ３の出力は第１電力増幅回路ＰＡ１の入力に結合される。
【００３７】
図８に示される第１ないし第３スイッチＳＷ１、ＳＷ２、ＳＷ３の接続状態は、第１信号源Ｓ１の出力を第１電力増幅回路ＰＡ１へ供給し、第２信号源Ｓ２の出力を第２電力増幅回路ＰＡ２へ供給する構成を示している。この場合は、分配器ＤＩＶは利用されない。この接続状態は、たとえば、第１ないし第３スイッチＳＷ１、ＳＷ２、ＳＷ３が第１制御信号により制御され、第１スイッチＳＷ１の入力、第２及び第３スイッチＳＷ２、ＳＷ３の出力が、図８において、１と示された端子に接続された状態である。この接続は、１つのアンテナＡＮＴから、２種以上の周波数を送信する方式である。
【００３８】
一方、図示されないが、第１ないし第３スイッチＳＷ１、ＳＷ２、ＳＷ３が、たとえば、第２制御信号により制御されると、第１スイッチＳＷ１の入力、第２及び第３スイッチＳＷ２、ＳＷ３の出力が、図８において、２と示された端子に接続される。この場合、第１信号源Ｓ１の出力が分配器ＤＩＶにより分配され、第１電力増幅回路ＰＡ１と第２電力増幅回路ＰＡ２とに供給される。この接続は、１つのアンテナＡＮＴから、１つの周波数を送信する方式である。
【００３９】
すなわち、図８の送信機１００ａは、スイッチマトリックス回路ＳＷＭの第１ないし第３スイッチＳＷ１、ＳＷ２、ＳＷ３の接続状態に基づいて、１つのアンテナＡＮＴから、２種以上の周波数を送信する方式と１つの周波数を送信する方式とを、選択可能な構成である。
【００４０】
この構成によれば、１つのアンテナＡＮＴから、２種以上の周波数を送信する方式と１つの周波数を送信する方式とを選択可能な構成であるので、送信機の小型化、周波数の有効利用、送信機の効率的運用に資することができる。
【００４１】
（変形例２）
図９は、変形例２に係る送信機を説明するための図である。図１０は、合成電力と相対位相差との関係を示す図である。図９の送信機１００ｂが、図６の送信機１００と異なる部分は、以下である。他の構成は、図６と同じであるので、説明は省略する。
【００４２】
位相調整のための第１位相アキュムレータＡＣＣ１が第１信号源Ｓ１と第１電力増幅回路ＰＡ１との間に設けられ、第２位相アキュムレータＡＣＣ２が第２信号源Ｓ２と第２電力増幅回路ＰＡ２との間に設けられる。第１位相アキュムレータＡＣＣ１は第１信号源Ｓ１から出力された第１高周波数信号の位相を調整可能な位相調整回路であり、第２位相アキュムレータＡＣＣ２は第２信号源Ｓ２から出力された第２高周波数信号の位相を調整可能な位相調整回路である。
【００４３】
また、カプラＣＰＬと電力検出回路ＤＥＴとが設けられている。カプラＣＰＬは合成器ＣＯＭＢの出力とアンテナＡＮＴとの間に設けられる。電力検出回路ＤＥＴはカプラＣＰＬの出力に接続されて、電力監視をする。第１、第２位相アキュムレータＡＣ１、ＡＣ２により位相を変化させ、合成電力を継続監視し、合成電力が最大となる位相で、位相調整を止める。これにより、第１、第２電力増幅回路ＰＡ１、ＰＡ２間の相対位相差を、例えば、０°にすることが可能である。
【００４４】
図９の送信機１００ｂでは、第１電力増幅回路ＰＡ１の出力に第１フィルタＦ１が設けられ、第２電力増幅回路ＰＡ２の出力に第２フィルタＦ２が設けられているので、第１信号源Ｓ１と第２信号源Ｓ２からの同一周波数の高周波信号は相対位相差が発生する虞がある。図１０に示されるように、横軸に示す相対位相差が大きくなり、例えば、１８０°となれば、縦軸に示す合成電力は最も小さくなる。したがって、相対位相差が、例えば、０°から５°の範囲となる様に、第１ないし第２位相アキュムレータＡＣＣ１、ＡＣＣ２が電力検出回路ＤＥＴの制御信号により制御することで、大きな合成電力の無線機を提供することが可能である。
【００４５】
第１、第２位相アキュムレータＡＣＣ１、ＡＣＣ２は、デジタル信号処理回路で構成可能であり、送信機の小型化に資することができる。
【００４６】
（変形例３）
図１１は、変形例３に係る送信機を説明するための図である。図１１の送信機１００ｃは、図８の送信機１００ａの変形例である。第１信号源Ｓ１は、デジタルシグナルプロセッサ（ＤＳＰ１）から構成される第１変調回路ＭＯＤ１と、第１周波数変換回路ＦＣＮＶ１と、により構成される。また、第２信号源Ｓ２は、デジタルシグナルプロセッサ（ＤＳＰ２）から構成される第２変調回路ＭＯＤ２と、第２周波数変換回路ＦＣＮＶ２と、により構成される。第１周波数変換回路ＦＣＮＶ１と第２周波数変換回路ＦＣＮＶ２との出力は、スイッチマトリックス回路ＳＷＭに供給され、スイッチマトリックス回路ＳＷＭの２つの出力は第１電力増幅回路ＰＡ１の入力と第２電力増幅回路ＰＡ２の入力とに供給される。第１電力増幅回路ＰＡ１の出力と第２電力増幅回路ＰＡ２の出力は、合成器ＣＯＭＢへ供給されて合成され、アンテナＡＮＴへ供給される。なお、第１電力増幅回路ＰＡ１の出力と第２電力増幅回路ＰＡ２の出力とに、図８と同様に、第１フィルタＦ１および第２フィルタＦ２が設けられても良い。
【００４７】
図１１の送信機１００ｃは、図８と同様に、スイッチマトリックス回路ＳＷＭの第１ないし第３スイッチＳＷ１、ＳＷ２、ＳＷ３の接続状態に基づいて、１つのアンテナＡＮＴから、２種以上の周波数を送信する方式と１つの周波数を送信する方式とを、選択可能な構成である。
【００４８】
（変形例４）
図１２は、変形例４に係る送信機を説明するための図である。図１２の送信機１００ｄは、図９の送信機１００ｂの変形例である。第１信号源Ｓ１は、デジタルシグナルプロセッサ（ＤＳＰ１）から構成される第１変調回路ＭＯＤ１と、第１周波数変換回路ＦＣＮＶ１と、により構成される。また、第２信号源Ｓ２は、デジタルシグナルプロセッサ（ＤＳＰ２）から構成される第２変調回路ＭＯＤ２と、第２周波数変換回路ＦＣＮＶ２と、により構成される。第１周波数変換回路ＦＣＮＶ１と第２周波数変換回路ＦＣＮＶ２との出力は、第１電力増幅回路ＰＡ１の入力と第２電力増幅回路ＰＡ２の入力とに供給される。第１電力増幅回路ＰＡ１の出力と第２電力増幅回路ＰＡ２の出力は、合成器ＣＯＭＢへ供給されて合成される。合成器ＣＯＭＢにより合成された信号は、カプラＣＰＬを介して、アンテナＡＮＴへ供給される。なお、第１電力増幅回路ＰＡ１の出力と第２電力増幅回路ＰＡ２の出力とに、図９と同様に、第１フィルタＦ１および第２フィルタＦ２が設けられても良い。
【００４９】
位相調整処理を行う第１位相アキュムレータＡＣＣ１は、第１変調回路ＭＯＤ１の前段に設けられる。また、位相調整処理を行う第２位相アキュムレータＡＣＣ２は、第２変調回路ＭＯＤ２の段に設けられる。第１ないし第２位相アキュムレータＡＣＣ１、ＡＣＣ２は、カプラＣＰＬの出力に接続される検出回路ＤＥＴ（不図示）からの制御信号により制御される。検出回路ＤＥＴ（不図示）は、図９で説明された様に、第１信号源Ｓ１と第２信号源Ｓ２からの同一周波数の高周波信号の相対位相差が、例えば、０°から５°の範囲となる様に、第１ないし第２位相アキュムレータＡＣＣ１、ＡＣＣ２を制御する。
【００５０】
これにより、信号処理側である第１、第２変調回路ＭＯＤ１、ＭＯＤ２の前段に設けた位相アキュムレータＡＣＣ１、ＡＣＣ２で位相調整を行うことで、電力増幅回路ＰＡ１、ＰＡ２を含むＲＦ段での位相調整処理が低減できる。このため、第１、第２変調回路ＭＯＤ１、ＭＯＤ２を構成するデジタルシグナルプロセッサ（ＤＳＰ１、ＤＳＰ２）のソフトウェアを変更するだけで、無線通信システムの拡張性を高めることが出来る。
【００５１】
（応用例）
図１３は、応用例に係る無線通信システムを示す図である。図１３の無線通信システム２００は、送信機１００ｅと受信機２００とを具備する。送信機１００ｅは、図９の送信機１００ｂの構成を、４つの信号源（Ｓ１―Ｓ４）に拡張した構成である。それに伴い、送信機１００ｅには、位相アキュムレータＡＣＣ３、ＡＣＣ４、電力増幅回路ＰＡ３、ＰＡ４、フィルタＦ３、Ｆ４が新たに設けられる。
【００５２】
受信機２００は、送信機１００ｅのアンテナＡＮＴからの電波を受信する受信アンテナＡＮＴ２と、ミキサＭＩＸと、ミキサＭＩＸの後段に設けられ、アナログ信号をデジタル信号へ変換するアナログデジタル変換回路ＡＤＣと、を含む。アナログデジタル変換回路ＡＤＣの変換出力は、周波数成分ごとに抽出されて、４つの受信信号に分割され、フィルタＦ２１、Ｆ２２、Ｆ２３、Ｆ２４を介して、自動利得制御回路ＡＧＣ１、ＡＧＣ２、ＡＧＣ３、ＡＧＣ４のおのおのへ供給される。自動利得制御回路ＡＧＣ１、ＡＧＣ２、ＡＧＣ３、ＡＧＣ４の出力は、対応して設けられる復調回路へ供給されて復調され、各周波数成分に対応する復調出力が得られる。
【００５３】
なお、上記では、送信機１００ｅに４つの信号源（Ｓ１−Ｓ４）を設けた例を示したが、それに限定されるわけではなく、信号源の数は２つでも、３つでも、５つ以上でもよい。信号源の増減により、位相アキュムレータ、電力増幅回路およびフィルタも増減させればよい。
【００５４】
また、送信機１００ｅは、図６、図８、図９、図１１または図１２の送信機を、利用することも可能である。
【００５５】
また、図６、図８、図９、図１１または図１２の送信機の信号源の数は、３つ以上設けてもよい。信号源の増減に対応する様に、後段の電力増幅回路、フィルタ、位相アキュムレータの数を、増減させればよい。図８または図１１の構成では、信号源の数に対応する様に、スイッチマトリックス回路ＳＷＭの構成を変更すればよい。
【００５６】
以上、本発明者によってなされた発明を実施例に基づき具体的に説明したが、本発明は、上記実施形態および実施例に限定されるものではなく、種々変更可能であることはいうまでもない。
【符号の説明】
【００５７】
１０、１０Ｂ：無線機
１１、１２、１３、１４、１５：使用帯域（周波数帯域）
ＡＮ１、ＡＮ２、ＡＮ３、ＡＮ４、ＡＮ５：アンテナ
Ｓ１、Ｓ２、Ｓ３、Ｓ４：信号源
ＰＡ１、ＰＡ２、ＰＡ３、ＰＡ４：電力増幅回路
Ｆ１、Ｆ２、Ｆ３、Ｆ４：フィルタ
ＣＯＭＢ：合成器
ＡＮＴ：アンテナ
ＳＷＭ：スイッチマトリックス回路
ＡＣＣ１、ＡＣＣ２：位相アキュムレータ（位相調整）
ＣＰＬ：カプラ
ＤＥＴ：電力検出回路
【図１】
2019050532.tif 000003
【図２】
2019050532.tif 000004
【図３】
2019050532.tif 000005
【図４】
2019050532.tif 000006
【図５】
2019050532.tif 000007
【図６】
2019050532.tif 000008
【図７】
2019050532.tif 000009
【図８】
2019050532.tif 000010
【図９】
2019050532.tif 000011
【図１０】
2019050532.tif 000012
【図１１】
2019050532.tif 000013
【図１２】
2019050532.tif 000014
【図１３】
2019050532.tif 000015